(57)【要約】【課題】本発明は、使用スペースが非常に小さいと共に、美観にも優れ、また、周囲が暗い環境であっても、使用者が容易に点灯、消灯の動作を行うことが可能な面発光照明システムを提供することを課題とする。【解決手段】片側に発光面を有する面発光照明と、外部支持体に回動可能に結合可能な接続部を有する面発光照明システムであって、該面発光照明の該発光面が該外部支持体の表面に対向する位置と、該発光面が照射対象を向く位置との間で回動させることが可能であり、該発光面と該外部支持体の表面とがなす角度が、特定の角度以上である場合に、該面発光照明が点灯する機構を有することを特徴とする面発光照明システム。【選択図】図１
2014203667.tif 000002
【特許請求の範囲】
【請求項１】
片側に発光面を有する面発光照明と、外部支持体に回動可能に結合可能な接続部を有する面発光照明システムであって、該面発光照明の該発光面が該外部支持体の表面に対向する位置と、該発光面が照射対象を向く位置との間で回動させることが可能であり、該面発光照明が消灯状態である場合において、該発光面と該外部支持体の表面とがなす角度が、特定の角度となった場合に、該面発光照明が点灯する機構を有することを特徴とする面発光照明システム。
【請求項２】
該面発光照明が点灯状態である場合において、前記面発光照明の前記発光面と、前記外部支持体の表面とがなす角度が、特定の角度となった場合に該面発光照明が消灯する機構を有することを特徴とする、請求項１に記載の面発光照明システム。
【請求項３】
前記接続部がヒンジであることを特徴とする、請求項１又は２に記載の面発光照明システム。
【請求項４】
前記接続部が２軸以上の方向に回動可能であることを特徴とする、請求項１乃至３のいずれか１項に記載の面発光照明システム。
【請求項５】
前記接続部のヒンジが２軸以上の多軸ヒンジであることを特徴とする、請求項４に記載の面発光照明システム。
【請求項６】
前記面発光照明が前記外部支持体に対し脱着可能であることを特徴とする、請求項１乃至５のいずれか１項に記載の面発光照明システム。
【請求項７】
前記面発光照明が有機エレクトロルミネッセンスを用いたものであることを特徴とする、請求項１乃至６のいずれか１項に記載の面発光照明システム。
【発明の詳細な説明】
【技術分野】
【０００１】
本発明は、面発光照明システムに関する。
【背景技術】
【０００２】
照明には、広い範囲を照らすアンビエント照明と狭い範囲を照らすタスク照明がある。アンビエント照明は一般に天井などに取り付けられ、例えば部屋全体といった広範囲の空間全体を照らすためのものである。タスク照明は机上などの局所的な作業空間を照らすためのものであり、例えばテーブル、机、ベッド等に取り付けて使用される。
タスク照明は局所的に使用するものであるから、アンビエント照明と比べて小型のものが求められる場合が多く、厚みが薄くできる有機ＥＬ照明のような面発光照明を用いることが提案されている（特許文献１）。
【先行技術文献】
【特許文献】
【０００３】
【特許文献１】特開２０１１−１８４８３号公報
【発明の概要】
【発明が解決しようとする課題】
【０００４】
上記のようにタスク照明はアンビエント照明と比べ、小型のものが求められるが、特許文献１のような従来の照明では十分に使用スペースが小さいとはいえない。
また、タスク照明は使用者の近くで用いられるので、照明の非使用時に発光していない発光面が近くに見えるのは使用者にとって美観を大きく損なうものである。特に面発光照明においては、従来の照明と比べて発光面の面積が広く美観に与える影響が強い。さらに発光面が長時間露出していることにより、発光面の汚れや傷付きといった問題も起こりうる。
【０００５】
また、タスク照明はアンビエント照明がない暗い環境で使用を開始するケースが多い。例えば、暗い部屋の中で机上の照明だけを使用して作業を行う場合や、天井照明を消した部屋のベッドで急に明かりが必要になる場合もある。このような場合、周囲が暗い中でタスク照明のスイッチを探すのは困難を伴う。たとえ明るい環境であっても不慣れな状況であればスイッチの場所がわからないケースも多い。
【０００６】
本発明の目的は、使用スペースが非常に小さいと共に、美観にも優れ、発光面の汚れや傷つきを抑制可能なタスク照明を提供することにある。また、周囲が暗い環境であっても使用者が容易に点灯、消灯の動作を行うことも可能とする。
【課題を解決するための手段】
【０００７】
上記目的を達成するため、本発明の面発光照明システムは、片側に発光面を有する面発光照明と、外部支持体に回動可能に結合可能な接続部を有する面発光照明システムであって、該面発光照明の該発光面が該外部支持体の表面に対向する位置と、該発光面が照射対照を向く位置との間で回動させることが可能であり、該面発光照明が消灯状態である場合において、該発光面と該外部支持体の表面とがなす角度が、特定の角度となった場合に、該面発光照明が点灯する機構を有することを特徴とする。
【０００８】
該面発光照明が点灯状態である場合において、前記面発光照明の前記発光面と、前記外部支持体の表面とがなす角度が、特定の角度となった場合に該面発光照明が消灯する機構を有していてもよい。
前記接続部がヒンジであってもよい。
前記接続部が２軸以上の方向に回動可能であってもよい。
【０００９】
前記接続部のヒンジが２軸以上の多軸ヒンジであってもよい。
前記面発光照明が外部支持体に対し脱着可能であってもよい。
前記面発光照明が有機エレクトロルミネッセンスを用いたものであってもよい。
【発明の効果】
【００１０】
本発明の面発光照明システムは、使用スペースが非常に小さいと共に、美観にも優れ、発光面の汚れや傷つきを抑制可能なタスク照明を実現できる。また、周囲が暗い環境であっても使用者が容易に点灯、消灯の動作を行うことができる。
【図面の簡単な説明】
【００１１】
【図１】面発光照明を非使用位置とした状態を示す断面図である。
【図２】面発光照明を使用位置とした状態を示す断面図である。
【図３】回動角度を説明する図である。
【図４】カムを使用した機構における非使用状態及び使用状態を説明する断面図である。
【図５】本発明の面発光照明システムを机に装着した状態における非使用状態及び使用状態を示す模式図である。
【図６】本発明の面発光照明システムをベッドに装着した状態における使用状態を示す模式図である。
【図７】実施の形態２における面発光照明システムの構造例及び使用例を示す模式図である。
【発明を実施するための形態】
【００１２】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、各実施例の説明に用いる図面は、いずれも本発明による面発光照明を模式的に示すものであって、理解を深めるべく部分的な強調、拡大、縮小、または省略などを行っており、各構成部材の縮尺や形状等を正確に表すものとはなっていない場合がある。更に、各実施例で用いる様々な数値は、いずれも一例を示すものであり、必要に応じて様々に変更することが可能である。
【００１３】
（実施の形態１）
図１は本実施形態における面発光照明１の非使用状態、図２は使用状態を示している。本発明の面発光照明システム２０は、面発光照明１と接続部３からなる。面発光照明１としては、有機エレクトロルミネッセンス（有機ＥＬ）照明、無機エレクトロルミネッセンス（無機ＥＬ）照明やＬＥＤと導光板を組み合わせたもの等、従来公知の各種面発光照明を適宜使用可能である。中でも薄型、軽量という点で有機ＥＬ照明を用いることが好ましい。
【００１４】
面発光照明１は、端部が接続部３によって外部支持体２に対し回動可能に結合している。接続部３の結合は、接着、両面テープ、ネジ止めなどの方法で行われる。外部支持体２は面発光照明１を取り付けて使用する可能場所であればいかなるもの面でもよいが、面発光照明１の発光面４の面積と同等以上の略平面な部分を有することが好ましい。例えば天井、壁、机、ベッド、家具、電化製品といったものが挙げられる。これらの外部支持体２の表面に直接面発光照明１を結合してもよいが、最初に面発光照明１用の基台を外部支持体２上に取り付けて、基台に面発光照明１を結合してもよい。
【００１５】
面発光照明１はその片側に発光面４、発光面４の反対側にカバー面５を有する。面発光照明１の非使用時は、面発光照明１の位置を、発光面４が外部支持体２の表面側と略平行となる非使用位置とすることが可能である。外部支持体２の表面が略平面である場合、非使用位置では面発光照明１が外部支持体２の表面にほぼ平行になっていることが好ましい。この結果、非使用時の面発光照明１は殆どスペースを使用せず、極めてコンパクトに収納される。
【００１６】
さらに、非使用位置では、発光面４が外部支持体２側を向いているため、非使用時の発光面４の汚れや傷つきを防止することができる。
また、非使用位置では外部からカバー面５が見えることになるので、カバー面５の色や模様を任意にデザインすることで美観を向上することができる。外部支持体２とカバー面５を一体的な色、模様とすれば、面発光照明１の存在を目立たせず、全体を一体感のあるデザインとすることができる。
【００１７】
面発光照明１の使用時は、面発光照明１を、発光面４が照射対象を向く位置に回動させて使用する。この際、使用者が面発光照明１を回動させる角度を変えることで照射領域を調整することができる。面発光照明１を回動可能とするためは、接続部３にヒンジを用いる方法が簡便で好ましい。回動した状態で面発光照明１が固定されるように接続部３の回動に適度な摩擦力が加わるようにすることが好ましい。
【００１８】
２軸以上の回動を可能にして、照射領域をさらに詳細に調整可能にするのは好ましい形態である。こういった回動は接続部３に２軸ヒンジを使用することで実現できる。
回動可能方向は２軸までに限られず、３軸以上の方向とすることも可能である。この場合は接続部３に３軸以上の多軸ヒンジを使用することで実現できる。
面発光照明１への電力や制御信号は接続部３に配されたＦＰＣ（フレキシブルプリンテッドサーキット）を介して外部支持体２側から送ることができる。接続部３とは別の場所に配線を行なうことも可能である。
【００１９】
本発明の面発光照明システム２０において、面発光照明１を、非使用位置から照射対象の方向に回動させるということは、照明の使用を開始するということを意味する。また、面発光照明１を非使用位置の方向に回動させるということは、照明の使用を終了することを意味する。ここで、回動軸に垂直な面内における、面発光照明１の発光面４と、外部支持体２の表面とのなす角度を回動角度７とすると（図３参照）、面発光照明１の非使用位置からの回動角度７が、特定の角度（以下点灯角度と呼ぶ）となった場合に面発光照明１が点灯し、特定の角度（以下消灯角度と呼ぶ）となった場合に面発光照明１が消灯する、という機構を面発光照明システム２０が有していれば、使用者は、面発光照明１の点灯と照射領域の調整、あるいは消灯と非使用位置への移動を、それぞれ一回の動作だけで行うことができるので、操作の利便性が大きく向上する。
【００２０】
回動角度７が９０度より小さい場合は、発光の多くの部分が照射対象ではなく外部支持体２の方向に向かってしまうので、面発光照明１の使用は、主に回動角度７が９０度以上においてなされることが想定される。従って通常の場合、面発光照明１の点灯角度及び消灯角度を、０度より大きく９０度より小さい範囲とすることが好ましい。もちろん、用途によっては、点灯角度及び消灯角度を９０度以上としてもよい。
【００２１】
なお、面発光照明１の照射領域の調整のためには、回動角度７が点灯角度以上である一定の範囲で点灯が継続することが好ましい。また、面発光照明１を消灯状態で収納するために、回動角度７が消灯角度から非使用位置までの範囲で消灯が継続することが好ましい。
また、点灯角度と消灯角度は同一でもよいが、点灯角度が消灯角度より大きくてもよい。
【００２２】
上記のような構造により、点灯、消灯のためのスイッチを設ける必要がなくなり、構造が簡素化されるという長所もある。さらに、面発光照明１自体を動かすために、例え周囲が暗い環境の中であっても容易に点灯ないし消灯させることができる。また、発光面４が外部支持体２側を向いた非使用位置では必ず消灯することになり、消灯忘れを防ぐこともできる。
【００２３】
回動による点灯、消灯を可能にする機構としてカムを用いた例を図４に示す。接続部３の回転軸にカム８を接続し、照明のスイッチとなっているマイクロスイッチ９をカム８に接するように配置する。図４（ａ）では、カム８がマイクロスイッチ９を押してないので照明は消灯する（非使用状態）。接続部３の回動軸を回動させて図４（ｂ）の状態になれば、カム８がマイクロスイッチ９を押して照明は点灯する（使用状態）。回動軸とカムの相対角度を変えることで点灯（消灯）する角度は任意に設定することができる。これは一例でありロータリースイッチを用いる等、他の機構を用いることも可能である。
【００２４】
面発光照明１を点灯させる角度と消灯させる角度が異なるように設定することも可能であるが、スイッチ構造を２種類必要として機構が複雑化する。従って面発光照明１を点灯させる角度と消灯させる角度を等しくすることが好ましい。
面発光照明１の回動を容易にするように、面発光照明１は指で力を加えやすい構造をとることが好ましい。具体的には、面発光照明１が非使用位置にある状態で、外部支持体２との間に多少の隙間が生じるようにする、あるいはカバー面５の一部が凸状となっていることで、カバー面５に指を引っ掛けられるようにする、といった方法が考えられる。
【００２５】
本発明の具体的使用例として、机１１を外部支持体２として面発光照明１を結合した状態を図５に示す。図５（ａ）は非使用状態であるが、面発光照明１の発光面４を、机１１に対しほぼ平行となる非使用位置とすることで、机１１からほとんど突出することなく収納できる。図５（ｂ）は使用状態を示すが、使用者１０が面発光照明１を片手で回動させるだけで、点灯と位置調整が可能であるから、机上での作業を中断させることなく面発光照明１の使用を開始することが可能である。
【００２６】
図６はベッド１２を外部支持体２として面発光照明１を結合した状態である。使用者１０は、ベッド１０に仰向けに横たわったままでも、面発光照明１を回動させて点灯したり消灯したりすることができる。このため、たとえ姿勢の変更が困難な病人であっても容易に面発光照明１を使用することが可能となる。
（実施の形態２）
接続部３と外部支持体２をクリップ、磁石、吸盤等で結合することで、面発光照明１を外部支持体２に対し脱着可能とすることもできる。このようにすることで、一旦取り付けた面発光照明１が不要になった場合でも、取り外して別の場所で使用することが可能である。
【００２７】
図７（ａ）は本実施の形態の一例であり、クリップ１３を外部支持体２として面発光照明１が結合されている。図７（ｂ）はクリップ１３をペーパホルダ１４に結合した状態である。面発光照明１のカバー面、又はクリップ１３に電池を装着して面発光照明１の電源とする。このようにペーパホルダ１４に面発光照明１を結合することで、夜間や暗所の作業中でも書類１５を読み書きすることが可能となる。照明が不要な環境であればペーパホルダ１４から面発光照明１を取り外すことで軽量化して使用できる。
【産業上の利用可能性】
【００２８】
本発明による面発光照明システムは、壁、机、家具、ベッド等に取り付けて各種のタスク照明に利用できる。
【符号の説明】
【００２９】
１    面発光照明
２    支持体
３    接続部
４    発光面
５    カバー面
６    発光
７    回動角度
８    カム
９    マイクロスイッチ
１０  使用者
１１  机
１２  ベッド  
１３  クリップ
１４  ペーパホルダ
１５  書類  
【図１】
2014203667.tif 000003
【図２】
2014203667.tif 000004
【図３】
2014203667.tif 000005
【図４】
2014203667.tif 000006
【図５】
2014203667.tif 000007
【図６】
2014203667.tif 000008
【図７】
2014203667.tif 000009